(57)【特許請求の範囲】
【請求項１】
パネルの前面から押圧操作自在に突出する複数の押釦と、パネルの内側に設けられて前記押釦によって押圧操作されるスイッチとが設けられた電子機器の操作装置において、
複数の前記押釦と、各押釦を押圧方向へ動作自在に支持する弾性変形可能な腕部と、各腕部を連結する連結体とが、樹脂により一体に形成されており、
前記パネルには、前記各押釦を内側から前面へ突出させる穴と、パネルの内面に間隙を介して対向する支持体とが一体に形成されるとともに、前記支持体と前記連結体とが凹凸嵌合する抜け止め手段が設けられ、前記穴は、前記支持体に向かう方向での幅寸法が、前記押釦の前記方向での幅寸法よりも長く形成されており、
前記押釦が前記パネルの穴に内側から挿入され、前記連結体が前記支持体に向けてスライドさせられると、前記連結体が、前記パネル内面と前記支持体との間の前記間隙内に嵌着されて各押釦が位置決めされ、前記抜け止め手段によって、前記連結体が、前記支持体に向かうスライド方向とは逆の方向へ抜け出るのが防止されることを特徴とする電子機器の操作装置。
【請求項２】
前記支持体と前記連結体との間には、前記連結体が、前記スライド方向と直交する方向へ動くことを規制する規制手段が設けられている請求項１記載の電子機器の操作装置。
【請求項３】
前記規制手段では、前記支持体を前記スライド方向と直交する方向から挟む対を成す規制突起が、前記連結体に設けられている請求項２記載の電子機器の操作装置。
【発明の詳細な説明】
【技術分野】
【０００１】
本発明は、車載用などの各種電子機器において押釦が動作自在に取付けられた電子機器の操作装置に関する。
【背景技術】
【０００２】
図４は、従来の車載用の電子機器の操作装置を、操作パネル１の内側から示した分解斜視図である。
【０００３】
電子機器のノーズ部などを構成する操作パネル１には、穴１ａ，１ａが形成されている。この穴１ａ，１ａに押釦２，２が内面１ｂ側から挿入される。押釦２，２の背面にはスイッチ押圧体３，３が一体に形成されている。各押釦２，２には、弾性変形可能な腕部４，４が一体に連結されており、また各腕部４，４は連結体５により連結されている。前記押釦２，２、スイッチ押圧体３，３、腕部４，４および連結体５は、樹脂で一体成型されている。
【０００４】
前記操作パネル１には、前記穴１ａ，１ａの側方に支持突起６が一体に形成されている。前記押釦２，２が前記穴１ａ，１ａに挿入された状態で、連結体５に形成された支持穴５ａが前記支持突起６に挿通された状態で、各押釦２，２が位置決めされる。
【０００５】
操作パネル１の内面１ｂでは、前記スイッチ押圧体３，３により押圧されるスイッチが設けられる。また前記押釦２，２が導光性材料で形成されているものでは、前記押釦２，２に照明光を与えるアクリル樹脂やその他の透明または半透明な照光部材が設けられる。操作パネル１の前面に突出する前記押釦２，２を押すと、前記腕部４，４が弾性変形し、スイッチ押圧体３，３によりスイッチが押圧操作される。
【発明の開示】
【発明が解決しようとする課題】
【０００６】
図４に示すものでは、連結体５の支持穴５ａが、操作パネル１の内面１ｂの支持突起６に、垂直方向から挿通されることによって取付けられる。そして、前記押釦２，２の内側にスイッチを実装した基板、または前記照光部材が取付けられ、これら基板や照光部材で前記連結体５がパネルの内側から支えられることにより、前記支持突起６からの支持穴５ａの抜け止めが行われる。
【０００７】
したがって、操作パネル１に押釦２，２が取付けられ且つ前記基板や照光部材が取付けられる前の状態で、パネル内面１ｂを下向きにすると、前記連結体５が支持突起６から抜け出て、押釦２，２がパネル内面１ｂから離脱する。そのため、前記基板や照光部材を取付けて前記連結体５の抜け止めを行うまで、操作パネル１の向きを自由に変えることができず、組立工程に制約が生じる欠点がある。
【０００８】
また、押釦２，２よりも内側に取付けられる前記基板や照光部材の一部を、前記連結体５を押さえることができる位置まで延長させることが必要であり、前記基板や照光部材の形状が制約を受ける問題がある。
【０００９】
本発明は、上記従来の課題を解決するものであり、複数の押釦をパネルの内側から装着したときに、この複数の押釦がパネルの裏面から容易に離脱しないようにした電子機器の操作装置を提供することを目的としている。
【００１０】
また本発明は、パネル内面の遮光形状などを利用して、前記押釦の抜け止めを可能とした電子機器の操作装置を提供することを目的としている。
【課題を解決するための手段】
【００１１】
本発明は、パネルの前面から押圧操作自在に突出する複数の押釦と、パネルの内側に設けられて前記押釦によって押圧操作されるスイッチとが設けられた電子機器の操作装置において、
複数の前記押釦と、各押釦を押圧方向へ動作自在に支持する弾性変形可能な腕部と、各腕部を連結する連結体とが、樹脂により一体に形成されており、
前記パネルには、前記各押釦を内側から前面へ突出させる穴と、パネルの内面に間隙を介して対向する支持体とが一体に形成されるとともに、前記支持体と前記連結体とが凹凸嵌合する抜け止め手段が設けられ、前記穴は、前記支持体に向かう方向での幅寸法が、前記押釦の前記方向での幅寸法よりも長く形成されており、
前記押釦が前記パネルの穴に内側から挿入され、前記連結体が前記支持体に向けてスライドさせられると、前記連結体が、前記パネル内面と前記支持体との間の前記間隙内に嵌着されて各押釦が位置決めされ、前記抜け止め手段によって、前記連結体が、前記支持体に向かうスライド方向とは逆の方向へ抜け出るのが防止されることを特徴とするものである。
【００１２】
本発明では、押釦がパネルの穴に挿入された状態で、前記連結体が、パネル内面とこのパネルと一体の支持体との間に入り込んでいるため、前記連結体を押さえるための別部品をパネル内面に取り付ける必要が無い。また押釦をパネルに組み込んだ時点で、押釦の位置決めとともに押釦のパネルからの離脱を防止できる。よって押釦が取付けられた状態のパネルを自由な向きにでき、組立作業を容易にできる。
【００１４】
また、前記支持体と前記連結体との間には、前記連結体が、前記スライド方向と直交する方向へ動くことを規制する規制手段が設けられていることが好ましい。
【００１５】
上記のように、パネル内面と支持体との間に連結体を差し込んだ時点で、この連結体の抜け止めと位置の規制が行われると、パネルに押釦を組み込んだ時点で、押釦の位置を確実に決めることができる。
【発明の効果】
【００１６】
以上のように本発明では、押釦をパネルに取付けた状態で、押釦がパネルから離脱できないようになる。よってパネルにさらに他の部品を組み込むときに押釦が外れるようなことがなく、組立作業を容易にできる。また連結体を差し込むだけで押釦を装着できるので、押釦の組み付け作業も簡単である。
【発明を実施するための最良の形態】
【００１７】
図１は本発明の電子機器の操作装置の一例を示すものであり、操作パネルの内側の構造を示す分解斜視図、図２は組み立て状態を示す図１のＩＩ−ＩＩ線の断面図、図３は図２のＩＩＩ−ＩＩＩ線の断面図である。
【００１８】
図１に示す電子機器の操作装置は、車載用の音響装置、ディスクチェンジャのコントローラ、カーナビゲーションシステムのコントローラなどとして使用される。図１では、前記電子機器の表面のノーズ部を構成する操作パネル１０を示している。
【００１９】
操作パネル１０は、非透光性の樹脂で一体成型されたものであり、前面１０ａが化粧面で且つ操作面である。なお、前記前面１０ａにアクリルなどの化粧板が取付けられてもよい。前記操作パネル１０の内面１０ｂが機器本体の内部に向けられる。また操作パネル１０の外周には、機器本体側に向けられる枠体１０ｃが一体に形成されている。
【００２０】
前記操作パネル１０には、横方向（Ｘ方向）へ後述する押釦よりも長い寸法Ｌで開口する突出穴１１，１１が形成されている。また操作パネル１０の中央部には表示窓１２が開口している。前記突出穴１１，１１と前記表示窓１２との間には、パネル内面１０ｂから機器本体の内方へ立ち上がる遮光壁１３が一体に形成されている。この遮光壁１３は、前記突出穴１１，１１の内側に設けられる照光部材３１（図２参照）からの照明光が前記表示窓１２から漏れるのを防止するためのものである。
【００２１】
前記遮光壁１３の中央部には、支持体１４が一体に形成されている。この支持体１４は、前記パネル内面１０ｂに対して間隙Ｔを開けて形成されている。この支持体１４の前記パネル内面１０ｂに対向する縁部には掛止爪１４ａが突出形成されている。図３に示すように、この掛止爪１４ａは、Ｘ１側の縁部がＹ方向へ向く垂直面で、Ｘ２側の縁部が傾斜面である。
【００２２】
また、前記操作パネル１０には、前記支持体１４を型で成形するときの抜き穴１５が開口している。
【００２３】
前記操作パネル１０の内面１０ｂには、押釦連結体２０が装着される。この押釦連結体２０は全体が透明または半透明の透光性の樹脂材料で一体成形されたものである。
【００２４】
前記押釦連結体２０は複数（図の例では２個）の押釦２１，２１を有している。この押釦２１，２１は前記突出穴１１，１１に対してパネル内面１０ｂ側からＹ１方向へ挿入可能であるが、この押釦２１，２１のＸ方向の幅寸法Ｗは、前記突出穴１１，１１のＸ方向への開口幅寸法Ｌよりも短く形成されている。前記押釦２１，２１の背面にはフランジ２２，２２が一体に形成されており、フランジ２２，２２の背面には、機器本体方向（Ｙ２方向）へ延びるスイッチ押圧体２３，２３が一体に形成されている。
【００２５】
前記フランジ２２，２２には、弾性変形可能な腕部２４，２４が一体に形成されており、各腕部２４，２４が連結体２５によって連結されている。この連結体２５のＹ方向の板厚寸法は、前記パネル内面１０ｂと支持体１４との間隙Ｔ内に隙間無く差し込めるよう、前記間隙Ｔとほぼ同じ厚さに形成されている。また、前記フランジ２２，２２、腕部２４，２４、および連結体２５の操作パネルに対向する側の面（Ｙ１側に向く面）は同一面である。すなわち前記フランジ２２，２２、腕部２４，２４、および連結体２５は同じ板厚寸法で、同一面状に形成されている。
【００２６】
前記連結体２５の背面で且つＸ２側の縁部には、掛止凹部２５ａが形成されている。また前記連結体２５にはＹ２方向に延びる一対の規制突起２５ｂ，２５ｂが上下方向（Ｚ方向）へ間隔を開けて形成されている。この規制突起２５ｂ，２５ｂの間隔は、図２に示すように、前記支持体１４を上下方向から挟むことができる寸法に形成されている。この実施の形態では、前記掛止凹部２５ａと、前記支持体１４に設けられた掛止爪１４ａとで、Ｘ２方向への抜け止め手段が構成されており、また前記一対の規制突起２５ｂ，２５ｂにより押釦連結体２０の上下方向の位置を規制する規制手段が構成されている。
【００２７】
次に前記押釦連結体２０の組み付け作業を説明する。
前記押釦連結体２０は、操作パネル１０の内面１０ｂに対して、後側から垂直にＹ１方向へ装着する。このとき押釦２１，２１を前記突出穴１１，１１のＸ２側の端部に挿入する。フランジ２２，２２がパネル内面１０ｂに当たった時点で、押釦連結体２０を横方向（Ｘ１方向）へスライドさせる。このスライド動作により、前記連結体２５が、前記パネル内面１０ｂと支持体１４との対向間隙Ｔ内へＸ１方向へ向けて差し込まれる。このとき、突出穴１１，１１の横方向の開口寸法Ｌよりも押釦２１，２１の幅寸法Ｗの方が小さいために、押釦２１，２１は前記突出穴１１，１１内をＸ１方向へ摺動できる。
【００２８】
この差込み動作の際に、支持体１４に形成された掛止爪１４ａが連結体２５の掛止凹部２５ａに嵌合し（図３参照）、押釦連結体２０のＸ２方向への抜け止めがなされる。また前記一対の規制突起２５ｂ，２５ｂにより支持体１４を上下に挟むことにより、前記押釦連結体２０は、前記差し込み方向と直交するＺ方向へ規制される。その結果、押釦２１，２１は突出穴１１，１１からパネル前面１０ａ方向へ突出した状態で位置決めされる。
【００２９】
前記押釦連結体２０を装着した後に、図２および図３に示すように、パネル内側に照光部材３１を装着する。この照光部材３１はアクリルなどの透明または半透明の透光性樹脂材料で形成されており、この照光部材３１に形成された穴３１ａに前記押釦連結体２０のスイッチ押圧体２３を挿通させる。
【００３０】
さらに前記照光部材３１の内側に、基板３３を装着する。この基板３３には複数のスイッチ３２，３２が実装されており、各スイッチ３２，３２のアクチュエータ３２ａ，３２ａが、前記スイッチ押圧体２３，２３に対向する。なお、前記基板３３にはランプなどの光源が設けられ、この光源から前記照光部材３１に照明光が与えられる。
【００３１】
さらに図１に示すように、前記操作パネル１０の表示窓１２に、内側から液晶表示パネルやエレクトロルミネッセンスパネルなどの表示装置３５が装着される。
【００３２】
この操作装置では、前記押釦２１を押すと前記腕部２４が弾性変形して、前記スイッチ押圧体２３により、スイッチ３２のアクチュエータ３２ａが押圧操作される。また夜間には、前記光源からの光が照光部材３１を伝わって押釦２１に与えられ、押釦２１が照光される。ただし、前記遮光壁１３が表示装置３５の側方に位置しているため、前記照光部材３１からの光が前記表示窓１２から前方へ漏れるのを防止できる。
【００３３】
以上のように、この実施の形態では、押釦連結体２０を操作パネル１０に組み付けた状態で、この押釦連結体２０が操作パネル１０の内側に確実に保持されて且つＸ方向とＹ方向へ動かないように位置決めされる。したがってパネル内面１０ｂを下向きにしても押釦連結体２０が離脱することがない。また、表示装置３５の側方に位置する遮光壁１３の一部を利用して、押釦連結体２０の保持を行っているため、パネル構造を効果的に利用でき、また遮光壁１３のＸ２側の側方のスペースを、連結体２５を保持させるための構造として有効利用できる。
【図面の簡単な説明】
【００３４】
【図１】本発明の電子機器の操作装置の一例を示すものであり、操作パネルの内側の構造を示す分解斜視図、
【図２】組み立て状態を示す図１のＩＩ−ＩＩ線の断面図、
【図３】図２のＩＩＩ−ＩＩＩ線の断面図、
【図４】従来の電子機器の操作装置を示す分解斜視図
【符号の説明】
【００３５】
１０  操作パネル
１０ｂ  操作パネルの内面
１１  突出穴
１２  表示窓
１３  遮光壁
１４  支持体
１４ａ  掛止爪
２０  押釦連結体
２１  押釦
２２  フランジ
２３  スイッチ押圧体
２４  腕部
２５  連結体
２５ａ  掛止凹部
２５ｂ  規制突起
３１  照光部材
３２  スイッチ
３５  表示装置
【図１】
0004413204.tif 000002
【図２】
0004413204.tif 000003
【図３】
0004413204.tif 000004
【図４】
0004413204.tif 000005